(57)【要約】【課題】  光ピックアップを移動可能に保持する光ピックアップ支持装置において、光ピックアップのガイド部はガイド軸よりその径が大きく、隙間が設けられているため、光ピックアップの移動に伴う振動で、騒音が発生する問題があった。【解決手段】  光ピックアップの移動に伴い、光ピックアップのガイド軸と当接して移動する押さえ部を設ける。押さえ部は、光ピックアップのガイド部の中心部が、ガイド軸の軸中心からずれるように且つ、ラックの駆動モーターの負担とならない程度の軽い負荷の接触荷重でガイド軸を押圧し、光ピックアップの振動による騒音を低減する。【選択図】    図４
2012003819.tif 000002
【特許請求の範囲】
【請求項１】
光ピックアップをガイド軸に沿って光ディスクの径方向へ移動させる光ピックアップ送り装置であって、
固定基板に回転可能に支持され、周縁にらせん状の送り用溝が設けられた送り用軸と、
該送り用軸を回転させる駆動用モーターと、
前記光ピックアップに固定され該光ピックアップを前記駆動用モーター及び前記送り用軸により駆動するための駆動部材と、を備え、
該駆動部材に、前記ガイド軸と当接する押さえ部が設けられることを特徴とする光ピックアップ送り装置。
【請求項２】
前記押さえ部は、前記光ピックアップが前記ガイド軸の軸中心に対してずれるように該ガイド軸を押圧することを特徴とする請求項１に記載の光ピックアップ送り装置。
【請求項３】
光ピックアップと、
固定基板と、
該固定基板に設けられ、前記光ピックアップの光ディスクの径方向への移動を案内するガイド軸と、
固定基板に回転可能に支持され、周縁にらせん状の送り用溝が設けられた送り用軸と、
該送り用軸を回転させる駆動用モーターと、
前記光ピックアップに固定され該光ピックアップを前記駆動用モーター及び前記送り用軸により駆動するための駆動部材と、
前記ガイド軸と当接し、前記光ピックアップの移動に伴い前記ガイド軸に沿って移動する押さえ部と、
を具備することを特徴とする光ピックアップ支持装置。
【請求項４】
前記押さえ部は前記ガイド軸を押圧することを特徴とする請求項３に記載の光ピックアップ支持装置。
【請求項５】
前記光ピックアップは、端部に前記ガイド軸が挿通されるガイド部が設けられ、該ガイド部の中心部が前記ガイド軸の軸中心からずれることを特徴とする請求項４に記載の光ピックアップ支持装置。
【請求項６】
前記押さえ部は、前記駆動部材に設けられることを特徴とする請求項４または請求項５に記載の光ピックアップ支持装置。
【請求項７】
前記押さえ部は、前記駆動部材と同一材料にて一体的に設けられることを特徴とする請求項６に記載の光ピックアップ支持装置。
【発明の詳細な説明】
【技術分野】
【０００１】
本発明は光ピックアップ送り装置および光ピックアップ支持装置に関し、特に、安価で、安定した光ピックアップ送り動作を実現できる光ピックアップ送り装置および光ピックアップ支持装置に関する。
【背景技術】
【０００２】
光ピックアップ支持装置（いわゆるトラバースメカ）は、光ピックアップを光ディスクの径方向に移動させて、光ディスクに対してデータの記録や読み出しを行っている。
【０００３】
図６を参照して従来の技術について説明する。図６（Ａ）が光ピックアップ支持装置（トラバースメカ）５０の全体を示す平面概要図であり、図６（Ｂ）がこれに用いられている光ピックアップの駆動部材（ラック）６０を示す斜視図である。
【０００４】
トラバースメカ５０を構成する固定基板５１にはステッピングモーター７１と、送り用軸（リードスクリュー）７２と、第１ガイド軸５３および第２ガイド軸５４が固定される。第１ガイド軸５３および第２ガイド軸５４は、それぞれ、光ピックアップ５５の端部に設けられたガイド部５７、５８内に挿通され、光ピックアップ５５をターンテーブル５６上に載置される光ディスクの径方向（Ｚ方向）に移動可能に支持する。
【０００５】
光ピックアップ５５は、駆動部材（ラック）６０に保持される。ラック６０は、光ピックアップ５５のガイド部５７が固定される本体部６１と、歯部６２を有する。歯部６２は、ステッピングモーター７１に回転可能に支持されるリードスクリュー７２の、らせん状の送り用溝７３にあわせて設けられ、送り用溝７３と噛合する。ステッピングモーター７１の駆動によって、リードスクリュー７２が回転し、それによってラック６０が光ピックアップ５５を光ディスクの径方向（Ｚ軸方向）に移動させる（例えば特許文献１参照。）。
【先行技術文献】
【特許文献】
【０００６】
【特許文献１】特開２００７−２６５５２５号公報
【発明の概要】
【発明が解決しようとする課題】
【０００７】
ステッピングモーター７１は、パルスに応じて所定の角度回転し、これによってリードスクリュー７２を回転させ、光ピックアップ５５を移動させる。しかし、パルス駆動時にステッピングモーター７１にかかる負荷のばらつきや、これを制御する回路のゲインの変動等によって、ステッピングモーター７１が供給するトルクの変動が生じる場合があり、ステッピングモーター７１が供給するトルクが過剰になると、光ピックアップ５５に不要な振動が伝達される場合がある。
【０００８】
また、光ピックアップ５５からの信号線は、ＦＰＣやＦＦＣで主基板に接続されているが、その信号線の影響を受けてピックアップが振動、騒音を発生する。
【０００９】
光ピックアップ５５が振動しながら移動することによって、騒音を発生させる問題があった。
【００１０】
図７は、従来の光ピックアップ５５のガイド部５７と第１ガイド軸５３の状態を示す図であり、図６（Ａ）のｂ−ｂ線断面図である。
【００１１】
光ピックアップ５５の端部に設けられたガイド部５７は例えば円柱形状で内部に円筒形状のガイド孔５７Ｈが設けられ、第１ガイド軸５３が挿通される。
【００１２】
光ピックアップ５５は、光ディスクの信号トラックの追従が十分に可能な移動（駆動）の性能（以下、摺動性と称する。）を備えることが必須条件である。従って、所定の摺動性を確保するため、ガイド孔５７Ｈの内径は第１ガイド軸５３の直径より大きく設けられ、光ピックアップ５５は、通常の動作時においてはガイド孔５７Ｈの中心部Ｃ１’と第１ガイド軸５３Ｃ２’の軸中心Ｃ２’が一致し、第１ガイド軸５３の周囲に均一な幅の隙間Ｇ’が形成されるように設計され、組み立てられる。
【００１３】
しかし、一方で、隙間Ｇ’によって、光ピックアップ５５が振動しながら移動することが許容され、ガイド部５７に接触するなどして騒音を発生させる原因になっていた。
【課題を解決するための手段】
【００１４】
本発明は、係る課題に鑑みてなされ、第１に、光ピックアップをガイド軸に沿って光ディスクの径方向へ移動させる光ピックアップ送り装置が、固定基板に回転可能に支持され、周縁にらせん状の送り用溝が設けられた送り用軸と、該送り用軸を回転させる駆動用モーターと、前記光ピックアップに固定され該光ピックアップを前記駆動用モーター及び前記送り用軸により駆動するための駆動部材と、を備え、該駆動部材に、前記ガイド軸と当接する押さえ部を設けることにより解決するものである。
【００１５】
また、前記押さえ部は、前記光ピックアップが前記ガイド軸の軸中心に対してずれるように該ガイド軸を押圧することを特徴とするものである。
【００１６】
第２に、光ピックアップ支持装置が、光ピックアップと、固定基板と、該固定基板に設けられ、前記光ピックアップの光ディスクの径方向への移動を案内するガイド軸と、固定基板に回転可能に支持され、周縁にらせん状の送り用溝が設けられた送り用軸と、該送り用軸を回転させる駆動用モーターと、前記光ピックアップに固定され該光ピックアップを前記駆動用モーター及び前記送り用軸により駆動するための駆動部材と、前記ガイド軸と当接し、前記光ピックアップの移動に伴い前記ガイド軸に沿って移動する押さえ部と、を具備することにより解決するものである。
【００１７】
また、前記押さえ部は前記ガイド軸を押圧することを特徴とするものである。
【００１８】
また、前記光ピックアップは、端部に前記ガイド軸が挿通されるガイド部が設けられ、該ガイド部の中心部が前記ガイド軸の軸中心からずれることを特徴とするものである。
【００１９】
また、前記押さえ部は、前記駆動部材に設けられることを特徴とするものである。
【００２０】
また、前記押さえ部は、前記駆動部材と同一材料にて一体的に設けられることを特徴とするものである。
【発明の効果】
【００２１】
本発明によれば以下の効果が得られる。
【００２２】
第１に、光ピックアップの移動に伴い、第１ガイド軸（主ガイド軸）と当接して移動する押さえ部を設けることにより、光ピックアップの振動をシャーシに固定された第１ガイド軸で押さえることができる。
【００２３】
押さえ部と第１ガイド軸の接触負荷は、光ピックアップとしての所定の摺動性を確保し、ステッピングモーターの負荷が小さく、摩擦音が生じない程度とすることで、特別な部品を追加することなく安価で信頼性が高く、低騒音の高品位な光ピックアップ送り装置、および光ピックアップ支持装置を実現できる。
【００２４】
第２に、押さえ部を、光ピックアップに固定されるラックと同一材料にて一体的に成形することで、摺動性に優れ、摩擦による劣化の少ない押さえ部を実現できる。
【図面の簡単な説明】
【００２５】
【図１】本発明の実施形態における光ピックアップ支持装置を示す斜視図である。
【図２】本発明の実施形態における光ピックアップ送り装置を説明するための斜視図である。
【図３】本発明の実施形態における駆動部材を示す（Ａ）斜視図、（Ｂ）斜視図、（Ｃ）平面図である。
【図４】本発明の実施形態における駆動部材と光ピックアップを示す斜視図である。
【図５】本発明の実施形態における光ピックアップ支持装置を説明する断面図である。
【図６】従来技術を説明するための（Ａ）斜視図、（Ｂ）斜視図である。
【図７】従来技術を説明するための断面図である。
【発明を実施するための形態】
【００２６】
本発明の実施の形態を図１から図５を用いて詳細に説明する。
【００２７】
図１は、本実施形態の光ピックアップ支持装置１の概要を示す斜視図である。尚、以下の図においては本実施形態の説明に必要な要部を主に示し、それ以外の部分は一部を省略している。
【００２８】
光ピックアップ支持装置１は、いわゆるトラバースメカと呼ばれる装置であり、固定基板１１と、光ピックアップ１２と、第１ガイド軸１３および第２ガイド軸１４と、光ピックアップ送り装置２とを有する。
【００２９】
光ピックアップ支持装置１を構成する固定基板（シャーシ）１１は、例えば射出成形が可能で熱可塑性の耐熱性合成樹脂材料が基材として用いられ、これによって光ピックアップ支持装置１の軽量化および低コスト化が図られている。シャーシ１１の端部にはスピンドルモーター１６が設けられる。スピンドルモーター１６は、モーター基板１５に設けられ、モーター基板１５がシャーシ１１に固定されている。スピンドルモーター１６は回転軸にターンテーブル１７が嵌合されており、ターンテーブル１７に不図示の光ディスクが載置される。
【００３０】
光ピックアップ１２は、樹脂を所定形状に成形したハウジング１２０の内部に、レーザーダイオード（不図示）と、レーザーダイオードから放射されるレーザー光を対物レンズ１８に導く光学部品（不図示）とが組み込まれている。ハウジング１２０には、レーザー光を光ディスクの信号面に集光させる対物レンズ１８を駆動するアクチュエータ１２３が搭載されている。対物レンズ１８は、ここでは２つ設けられる場合を例に示すが、１つであってもよい。光ピックアップ１２はハウジング１２０の両端にハウジング１２０と一体的に樹脂材料を射出成形して形成された第１ガイド部１２１、第２ガイド部１２２を有する。
【００３１】
第１ガイド部１２１は、中央部に略円柱状のガイド孔１２１Ｈが設けられた略円筒形状である。第２ガイド部１２２は、例えば外側に向かって開口するガイド溝１２２Ｔが形成された横Ｕ字形状またはコの字形状を有する。ガイド孔１２１Ｈには、第１ガイド軸１３（主ガイド軸）が挿通され、ガイド溝１２２Ｔには第２ガイド軸（副ガイド軸）１４が挿通される。
【００３２】
第１ガイド軸１３および第２ガイド軸１４は、その延在方向、すなわちＺ軸方向への光ピックアップ１２の移動を案内する。ここで、Ｚ軸方向とは、光ディスクの径（半径：ラジアル）方向である。また、以下の説明では、Ｚ軸方向に直交し、光ピックアップ１２から第１ガイド軸１３（第２ガイド軸１４）に向かう方向をＸ軸方向とする。Ｘ軸方向は、光ディスクの主面上において径方向に垂直な方向であり、タンデンシャル方向ともいわれる。また、Ｙ軸方向は、光ピックアップ１２の主面（光ディスクの信号記録面に水平な面）に対して垂直方向であり、フォーカシング方向ともいわれる。更に、以下では便宜上、＋Ｙ方向を上方、−Ｙ方向を下方と説明する場合がある。
【００３３】
第１ガイド軸１３および第２ガイド軸１４は、光ディスクの径方向に対して平面視で平行に配置されると共に、光ディスクの情報記録面に対しても平行に配置され、シャーシ１１に固定される。尚、第１ガイド軸１３および第２ガイド軸１４は、円柱状のステンレス等の金属材料から成る。
【００３４】
第１ガイド部１２１のガイド孔１２１Ｈの内径は、光ピックアップ１２の第１ガイド軸１３に沿う方向（Ｚ軸方向）への移動を許容するため、第１ガイド軸１３の直径より大きく設けられる。つまり、ガイド孔１２１Ｈに挿通された第１ガイド軸１３の周囲には環状の隙間Ｇが形成されている。光ピックアップ１２は、後述の光ピックアップ送り装置２によって、ガイド孔１２１Ｈ内壁と第１ガイド軸１３とが非接触の状態で、Ｚ軸方向に移動される。詳細な図示は省略するが、これは第２ガイド部１２２においても同様である。すなわち、第２ガイド軸１４とそれを囲む第２ガイド部１２２の間にはＵ字形状またはコの字形状の隙間が形成され、ガイド溝１２２Ｔ内壁と第２ガイド軸１４とは非接触の状態で、Ｚ軸方向に移動される。
【００３５】
後に詳述するが、本実施形態では、光ピックアップ送り装置２に設けられた押さえ部２１５が第１ガイド軸１３を押圧しており、ガイド孔１２１Ｈ内の第１ガイド軸１３周囲の隙間Ｇは不均一な幅の環状に形成される。
【００３６】
光ピックアップ支持装置１は、スピンドルモータ１６により回転される光ディスクに対して、光ピックアップ１２の対物レンズ１８からレーザー光を照射する。そして、光ディスクのデータ記録層で反射したレーザー光を、光ピックアップ１２に内蔵されたＰＤ（Ｐｈｏｔｏ  Ｄｉｏｄｅ）ＩＣで読み取る。ここで、光ピックアップ１２から放射されるレーザー光としては、ＢＤ（Blu-ray  Disc）規格、ＤＶＤ（Digital  Versatile  Disk）規格またはＣＤ（Compact  Disk）規格のレーザー光が採用される。同様に、スピンドルモータ１６により回転される光ディスクの規格としても、これらのいずれかが採用される。
【００３７】
このような構成の光ピックアップ支持装置１が所定形状の筐体に収納されることで、光ディスク装置が構成される。ハウジング１２０に収納された各種光学素子（不図示）は、コネクタ１２４および不図示のフレキシブル配線基板を経由して、光ディスク装置の筐体に内蔵された主回路基板と接続される。
【００３８】
図２を参照して、光ピックアップ送り装置２について説明する。図２では、光ピックアップ送り装置２を示す斜視図であり、光ピックアップ送り装置２に固定される光ピックアップ１２および第１ガイド軸１３も合わせて示した（細実線）。
【００３９】
光ピックアップ送り装置２は、駆動部材２１と、送り用軸２２と、駆動用モーター２４とを備え、シャーシ１１の一辺に沿った端部に固定され、光ピックアップ１２を光ディスクの径方向（Ｚ軸方向）に移動させる。
【００４０】
駆動部材（ラック）２１は、射出成形が可能で熱可塑性の耐熱性合成樹脂材料が基材として用いられた一体成形品である。合成樹脂材料は、硬度と適度な弾性を有し、摺動性にすぐれ、摩擦による削れに対する耐性が高いものが好適であり、一例として、ポリアセタール(polyacetal、polyoxymethylene)、ポリカーボネート(Polycarbonate)、変性ポリフェニレンエーテル（modified-Polyphenyleneether：ｍ−ＰＰＥ）等が採用できる。
【００４１】
ラック２１は、本体部２１１と、腕部２１２と、歯部２１４と、押さえ部２１５とを有する。本体部２１１は、光ピックアップ１２の第１ガイド部１２１にねじなどで固定され、光ピックアップ１２を保持する。ラック２１は、光ピックアップ１２を移動させるためのステッピングモーター２４の駆動力を光ピックアップ１２に伝達する。
【００４２】
送り用軸２２は、例えば金属製のリードスクリューであり、周縁にらせん状の送り用溝２３が設けられる。送り用溝２３には、ラック２１の歯部２１４が噛合する。
【００４３】
駆動用モーター（ステッピングモーター又はスレッドモーター）２４は、送り用軸２２を一定方向に回転させる。すなわち、ステッピングモーター２４に電力が供給されることにより、ステッピングモーター２４がパルスに応じて所定の角度回転し、これにつなげられたリードスクリュー２２が回転する。リードスクリュー２２の回転動作により、送り用溝２３に歯部２１４が噛合したラック２１は、リードスクリュー２２の延在方向（Ｚ軸方向）に移動し、ラック２１に固定された光ピックアップ１２が光ディスクの径方向（Ｚ軸方向）に沿って動かされる。
【００４４】
図３および図４を参照して、ラック２１について詳述する。図３（Ａ）はラック２１の全体の構成を示す斜視図であり、図３（Ｂ）は図３（Ａ）を下方（−Ｙ側）から見た斜視図であり、図３（Ｃ）はラック２１を上方（Ｙ側）からみた平面図である。また、図４はラック２１が光ピックアップ１２を支持する状態を示す図であり、図４（Ａ）が歯部２１４（＋Ｘ）側から見た斜視図、図４（Ｂ）が図４（Ａ）を下方（−Ｙ側）から見た斜視図である。
【００４５】
図３を参照して、本体部２１１から＋Ｘ方向に延びる腕部２１２の先端に歯部２１４が設けられる。腕部２１２はＸ軸方向に沿った断面形状においてＵ字状またはＪ字状の如く湾曲した形状である。
【００４６】
歯部２１４はリードスクリュー２２の送り用溝２３に沿うように（図２参照）、Ｙ軸に対して所定の角度で傾斜して複数（例えば２つ）設けられる。その形状は、送り用溝２３に噛合するように、リードスクリュー２２の方向（Ｘ方向）に突出し、例えば頂点部分に曲率を有する略三角柱状である。また、腕部２１２の側壁には、コイルばね２５（図１、図２参照）が嵌合する突起部２２０が設けられる。
【００４７】
図３および図４を参照して、押さえ部２１５は、例えばラック２１の端部に設けられる。ここでは一例として、ラック２１の本体部２１１から第１ガイド軸方向（−Ｘ方向）に突出した平板状の押さえ部２１５を示す。押さえ部２１５は、ラック２１（本体部２１１）と同一材料にて一体的に射出成形によって形成される。
【００４８】
図４（Ｂ）を参照して、押さえ部２１５は、第１ガイド軸１３の周縁面まで延在し、これと当接する。ここでは、本体２１１から第１ガイド軸１３の下部に突き出し、第１ガイド軸１３と当接してこれを下方から支持する。
【００４９】
押さえ部２１５は、第１ガイド軸１３と当接するだけでなく、光ピックアップ支持装置１を組立後に、第１ガイド軸１３を小さい荷重で押圧する形状および位置に設けられる。一方で、押さえ部２１５は、光ピックアップ１２（ラック２１）の移動に伴い、第１ガイド軸１３と当接したままこれに沿って移動する。本実施形態では押さえ部２１５によって、光ピックアップ１２が振動しながら移動することによる騒音を低減できる。
【００５０】
従来構造では、光ピックアップ５５のガイド部５７と第１ガイド軸５３とはそれぞれ独立した（非接触な）構造として存在していた。従って、信号線の影響により光ピックアップ５５が振動しながら移動すると、第１ガイド部５７と第１ガイド軸５３と接触して騒音が発生していた（図６参照）。
【００５１】
光ピックアップ１２はラック２１にネジなどで固定されており、この振動に伴いラック２１も振動する。一方、第１ガイド軸１３は、シャーシ１１にネジなどにより固定されている。
【００５２】
本実施形態では、ラック２１の押さえ部２１５を第１ガイド軸１３に押圧することで、振動する光ピックアップ１２が第１ガイド軸１３に押し付けられる。換言すると、シャーシ１１に固定された第１ガイド軸１３で、振動する光ピックアップ１２を押さえることで、振動の程度（振動する自由度）を従来より抑制することができ、光ピックアップ１２が振動しながら移動することによる騒音を防止できる。
【００５３】
ここで、光ピックアップ１２は、光ディスクの信号トラックの追従が十分行える摺動性を備えることが必須である。従って、押さえ部２１５と第１ガイド軸１３との接触荷重は、光ピックアップ１２が機能上十分な摺動性を備え、ステッピングモーター２４の負担とならない程度で、且つ第１ガイド軸１３と押さえ部２１５との摩擦音が発生しない程度を上限とする軽い負荷に設定される。
【００５４】
図５は、ラック２１の押さえ部２１５によって押圧された状態の、第１ガイド軸１３と第１ガイド部１２１のＸＹ面の断面（図４のａ−ａ線の断面）を示す概要図である。尚、図５においては荷重の関係を説明するものであり、各構成要素の縮尺は実際と異なっている。
【００５５】
本実施形態では、押さえ部２１５は、第１ガイド軸１３と当接するだけでなくこれを小さい荷重で押圧する形状および位置に設けられる。具体的には、本体部２１１を第１ガイド部１２１に固定した際、押さえ部２１５によって、第１ガイド軸１３が押圧され、光ピックアップ１２の第１ガイド部１２１（ガイド孔１２１Ｈ）の図５の断面における中心部Ｃ１が、第１ガイド軸１３の軸中心Ｃ２からずれてラック２１に保持される。その結果、第１ガイド部１２１内の第１ガイド軸１３周囲には幅が狭い隙間Ｇ１と幅が広い隙間Ｇ２が形成され、環状の隙間Ｇとしては不均一な幅に形成される。
【００５６】
ラック２１はコイルばね２５によって、常時軽い荷重でリードスクリュー２２から応力を受けている。つまり、コイルばね２５の荷重により第１ガイド軸１３の水平方向（Ｘ軸方向）のガタツキは抑えられている。しかしこれだけでは第１ガイド軸１３は上下方向（Ｙ軸方向）に自由度が高く振動し易い状態にある。本実施形態では押さえ部２１５によって、第１ガイド軸１３を第１ガイド部１２１内（ガイド孔１２１Ｈ）のＹ軸方向（上下いずれか）に片寄せすることで、振動を抑制できる。
【００５７】
このように、本実施形態は、振動する光ピックアップ１２を、シャーシ１１に固定された第１ガイド軸（主ガイド軸）１３で押さえることで、光ピックアップ１２が振動しながら移動することによる騒音を防止するものである。
【００５８】
従って、光ピックアップ１２を第１ガイド軸１３に押さえる構成を備えるものであれば、上記の例に限らない。
【００５９】
例えば、上記の例では第１ガイド軸１３を下側から押さえる平板状の押さえ部２１５を例に示したが、押さえ部２１５をフック形状あるいはリング形状とし、第１ガイド軸１３に押さえ部２１５を引っ掛けるなどして荷重するものであってもよい。
【００６０】
但し、上記のごとく第１ガイド軸１３のＹ軸方向の自由度を規制する必要があるため、少なくともＹ軸方向への荷重が可能な形状とする。例えば、荷重の成分にＹ軸方向が含まれていればよいので、破線矢印の如く斜め下方（上方）から荷重がかかる形状であってもよい。
【００６１】
また、上記の例では押さえ部２１５は、ラック２１の端部に１つ設けた場合を示したが、押さえ部２１５は複数設けられてもよい。
【００６２】
更に、押さえ部２１５はハウジング１２０側に設けられてもよく、例えば、第１ガイド部１２１から延在して、第１ガイド軸１３を押圧するものであってもよい。
【００６３】
またハウジング１２０側に設ける場合の他の例として、第１ガイド部１２１の内部に、第１ガイド軸１３が上下（Ｙ軸方向）に片寄せされるように凹凸を設けることが考えられる。しかし、片寄せされた結果、幅が狭い隙間Ｇ１が小さすぎると、第１ガイド孔１２１と第１ガイド軸１３の摺動負荷が増加してしまい、長時間の摺動では第ガイド孔１２１の削れが発生することになる。
【００６４】
いずれの場合も、ガイド孔１２１Ｈの径と第１ガイド軸１３の径の差（クリアランス）は、１０μｍ程度が望ましく、その条件の中で振動を押さえる形状が適宜選択される。
【００６５】
押さえ部２１５は常に第１ガイド軸１３と摩擦して移動するため、摺動性が良好で、且つ、摩擦による削れが少ない材料が望ましい。ラック２１は常時、歯部２１４がリードスクリュー２２に嵌合して駆動するため、摺動性が良好で摩擦に対する耐性が高い合成樹脂材料が採用されている。この点において押さえ部２１５は、ラック２１と一体的に成形されものであると好適である。
【００６６】
尚、所定の摺動性を維持し光ピックアップ１２を安定走行させるには、押さえ部２１５によって、第１ガイド軸１３に安定した荷重をかけることが望ましい。従って、押さえ部２１５は、弾性（バネ性）を備えて第１ガイド軸１３を押圧すると好適である。本実施形態では、ラック２１の本体２１１と歯部２１４が腕部２１２によって離間して支持され、腕部２１２はＸＹ面の断面が略Ｕ字形状を有し、これにより撓みを吸収できる。つまりラック２１が弾性（バネ性）を有するため、押さえ部２１５は第１ガイド軸１３に安定した荷重をかけることができる。また、押さえ部２１５自体の形状が弾性（バネ性）を有する形状であってもよい。
【００６７】
また、押さえ部２１５は、第１ガイド軸１３側に加えて、第２ガイド軸１４側に設けてもよい。その場合は、例えば、第２ガイド部２１２から延在して第２ガイド軸１４と当接する他の押さえ部を設ける。
【符号の説明】
【００６８】
１      光ピックアップ支持装置
２      光ピックアップ送り装置
１１    固定基板（シャーシ）
１２    光ピックアップ
１３    第１ガイド軸（主ガイド軸）
１４    第２ガイド軸（副ガイド軸）
１６    スピンドルモーター
１８    対物レンズ
２１    駆動部材（ラック）
２２    送り用軸（リードスクリュー）
２３    送り用溝
２４    駆動用モーター（ステッピングモーター）
２１１  本体部
２１２  腕部
２１４  歯部
２１５  押さえ部
【図１】
2012003819.tif 000003
【図２】
2012003819.tif 000004
【図３】
2012003819.tif 000005
【図４】
2012003819.tif 000006
【図５】
2012003819.tif 000007
【図６】
2012003819.tif 000008
【図７】
2012003819.tif 000009